(57)【要約】    【課題】装置上方へ開口した開口部を有する画像記録装置において、開口部から装置内部へ異物が進入することを防止するとともに、装置の小型軽量化が実現できる手段を提供する。    【解決手段】  本複合機１は、扁平薄箱状のものであって厚みの延びる方向を縦方向として設置される縦置き型のプリンタ筐体２０に、装置上方へ開口した排紙口２２が形成され、プリンタ筐体２０の上面に倒伏して排紙口２２を閉塞する閉塞姿勢と、上面から起立して排紙口２２を開放する開放姿勢との間で姿勢変化する把手７が設けられてなるものである。【選択図】  図１
2006205630.tif 000002
【特許請求の範囲】
【請求項１】
扁平薄箱状のものであって厚みの延びる方向を縦方向として設置される縦置き型の装置筐体に、装置上方へ開口した開口部が形成され、該装置筐体の開口部が形成された面に倒伏して該開口部を閉塞する閉塞姿勢と、該面から起立して上記開口部を開放する開放姿勢との間で姿勢変化する把手が設けられてなる画像記録装置。
【請求項２】
上記装置筐体の開口部が形成された面に、装置の動作指示を行うための操作部が設けられた請求項１記載の画像記録装置
【請求項３】
上記装置筐体内で被記録媒体を搬送し、該被記録媒体に画像を記録して、該被記録媒体を上記開口部から排出するものである請求項１又は２に記載の画像記録装置。
【請求項４】
上記把手は、上記閉塞姿勢で上記開口部が形成された面と対向する面に、画面表示部が設けられたものである請求項１から３のいずれかに記載の画像記録装置。
【請求項５】
上記把手は、略Ｕ字形状であって、その両端部を軸として上記装置筐体に回動可能に設けられ、該把手のＵ字形状内側の空間に収まるようにして上記操作部が配置された請求項２から４のいずれかに記載の画像記録装置。
【請求項６】
上記把手が装置の電源スイッチを兼ねており、上記開放姿勢に姿勢変化されたときに電源をオンとし、上記閉塞姿勢に姿勢変化されたときに電源をオフとする請求項１から５のいずれかに記載の画像記録装置。
【請求項７】
上記把手は、上記閉塞姿勢と開放姿勢との間で任意の姿勢に保持可能なものである請求項１から６のいずれかに記載の画像記録装置。
【請求項８】
上記把手は、装置の電源がオフとなると上記閉塞姿勢へ姿勢変化し、装置の電源オンとともに閉塞姿勢から開放姿勢となるものである請求項１から５のいずれかに記載の画像記録装置。
【請求項９】
上記把手は、上記開放姿勢において画像記録が行われない状態が所定時間継続した場合に、閉塞姿勢に姿勢変化して待機状態となり、待機状態において画像記録が行われる場合に開放姿勢に姿勢変化するものである請求項８に記載の画像記録装置。
【請求項１０】
上記把手が電源停止スイッチを兼ねており、上記開放姿勢の状態で上方に引っ張られたときに電源をオフとする請求項１から９のいずれかに記載の画像記録装置。
【請求項１１】
上記開口部近傍の搬送路に、該搬送路を被記録媒体が搬送されない際に搬送路を閉鎖する閉姿勢となり、該搬送路を被記録媒体が搬送される際に搬送路を開通する開姿勢となる搬送路開閉弁が設けられたものである請求項１から１０のいずれかに記載の画像記録装置。
【請求項１２】
上記搬送路開閉弁は、常時閉姿勢であり、且つ搬送路を搬送される被記録媒体が当接して押進することにより開姿勢に姿勢変化するように弾性付勢されたものである請求項１１に記載の画像記録装置。
【請求項１３】
上記開口部は、装置筐体の上面に形成されたものである請求項１から１２のいずれかに記載の画像記録装置。
【発明の詳細な説明】
【技術分野】
【０００１】
本発明は、装置上方へ開口した開口部を有する画像記録装置に関するものである。
【背景技術】
【０００２】
従来より、装置筐体内で被記録媒体を搬送して画像記録を行う画像記録装置として、多機能装置（ＭＦＤ：Multi Function Device）と呼ばれるものが知られている。図１４は、従来の画像記録装置の外観構成を示すものであるが、図に示すように、画像記録装置９０は、下部にプリンタ部９１を、上部にスキャナ部９２を一体的に備えた多機能装置であり、プリンタ部９１は、主に不図示のコンピュータと接続されて、該コンピュータから送信された画像データや文書データに基づいて、記録用紙に画像や文書を記録するものであり、スキャナ部９２は、各種原稿の画像データを読み取って画像データに変換し、該画像データをコンピュータ等に出力するものである。
【０００３】
図に示すように、プリンタ部９１は、正面に開口９３が形成されており、該開口９３に露出するようにして給紙トレイ９４及び排紙トレイ９５が上下２段に設けられている。プリンタ部９１の内部には、該給紙トレイ９４と排紙トレイ９５とを連続させるようにして横向き略Ｕ字状の搬送路が形成されており、該搬送路中にインクジェット記録ヘッドを搬送路幅方向に走査させてインク滴を吐出させる記録ユニットが配設されている。このようなプリンタ部９１により、給紙トレイ９４に収容された記録用紙が、不図示の搬送ローラ等の搬送手段によりプリンタ部９１内の搬送路へ給送され、該搬送路中において記録ユニットにより所望の画像が記録された後、排紙トレイ９５へ排出されて画像記録が行われる。
【０００４】
また、スキャナ部９２は、所謂フラットベッドスキャナとして構成されており、画像記録装置９０の天板として開閉自在に設けられた原稿カバー９６の下側に、プラテンガラス及びイメージスキャナ（不図示）が設けられており、該イメージスキャナが所定方向に走査されて、プラテンガラス上に載置された原稿の画像を読み取るようになっている。
【０００５】
上記画像記録装置９０のプリンタ部９１のように、記録面がほぼ水平となる姿勢で記録用紙を給紙トレイ９４又は排紙トレイ９５で保持するものでは、図に示すように、幅及び奥行きが厚み（高さ）より大きい扁平薄箱状の装置筐体を、厚みの延びる方向が横方向となるように設置する横置き型となる。しかし、横置き型の画像記録装置は設置のための床面積が大きいので、設置スペースを小さくするために、装置筐体の厚みの延びる方向を縦方向とした縦置き型の画像記録装置が提案されている（例えば特許文献１参照）。
【０００６】
【特許文献１】特開２００３−１２７４８４号公報
【発明の開示】
【発明が解決しようとする課題】
【０００７】
上記画像記録装置９０のように横置き型のものでは、排紙トレイ９５への搬送路の出口となる排紙口や給紙トレイ９４から搬送路への入口となる給紙口等の開口部は側方へ向いており、さらに、これら開口部の上方にはスキャナ部９２等が設けられているので、該開口部からゴミや塵埃等の異物が装置内部に進入するおそれは少ない。しかし、縦置き型の画像記録装置では、例えば排紙口が上方へ開口するように搬送路が構成されることが多く、特に排紙口が装置筐体の上面に形成された場合には、該排紙口の上方には他の部材がないので、該排紙口から装置内部へ異物が進入するおそれがおおい。
【０００８】
また、開口部に蓋を設けることも考えられるが、開口部を塞ぐためのみに蓋等の別部材を設けることは部品点数が増加してコストアップとなり、また、装置のサイズや重量が大きくなるという問題がある。特に画像記録装置を縦置き型とすると、装置の設置面積が小さくなるが、装置筐体の上面の面積も小さくなるので、該上面に多くの部材を配置することは困難である。
【０００９】
また、縦置き型の画像記録装置において、装置底部付近に配設されたインクジェット記録ヘッド等からなる記録部から上方へ記録用紙を搬送して排紙する構成とした場合には、排紙口を封止する蓋と記録済みの記録用紙とが干渉しないように、記録用紙の最大サイズの長さと記録部の高さとを加えた高さ分を外装ケースで覆う必要がある。しかし、排紙口より内部側に記録済みの記録用紙が蓄積されると、該記録用紙が取り出し難いという問題が生ずる。
【００１０】
一方、開口部に蓋を設けずに開放しておくと、前述したように、該開口部から装置内部へ進入したゴミや塵埃等の異物が、インクジェット記録ヘッド等の記録部や、制御基板等の制御部、プラテンガラス、イメージスキャナ等に付着して、悪影響を及ぼすおそれがある。
【００１１】
本発明は、かかる問題に鑑みてなされたものであり、装置上方へ開口した開口部を有する画像記録装置において、開口部から装置内部へ異物が進入することを防止するとともに、装置の小型軽量化が実現できる手段を提供することを目的とする。
【課題を解決するための手段】
【００１２】
本発明に係る画像記録装置は、扁平薄箱状のものであって厚みの延びる方向を縦方向として設置される縦置き型の装置筐体に、装置上方へ開口した開口部が形成され、該装置筐体の開口部が形成された面に倒伏して該開口部を閉塞する閉塞姿勢と、該面から起立して上記開口部を開放する開放姿勢との間で姿勢変化する把手が設けられてなるものである。画像記録装置に把手が設けらることにより、画像記録装置の可搬性が向上する。また、把手が開放姿勢になることにより、開口部が開放されるので、例えば、開口部を排紙口とした場合には被記録媒体の排出が許容され、開口部を給紙口とした場合には被記録媒体の給紙が許容される。一方、把手が閉塞姿勢になることにより、開口部が閉塞されて、装置内部へのゴミや塵埃等の異物の進入が防止される。
【００１３】
また、上記画像記録装置において、上記装置筐体の開口部が形成された面に、装置の動作指示を行うための操作部が設けられることが好適である。
【００１４】
また、本発明は、上記画像記録装置において、上記装置筐体内で被記録媒体を搬送し、該被記録媒体に画像を記録して、該被記録媒体を上記開口部から排出するものである。これにより、不使用時には開口部を把手で閉塞して、装置内部へのゴミや塵埃等の異物の進入を防止し、使用時には開口部を開放して、記録済みの被記録媒体の取り出しが容易なように、該開口部から排出することができる。
【００１５】
また、本発明は、上記画像記録装置において、上記把手は、上記閉塞姿勢で上記開口部が形成された面と対向する面に、画面表示部が設けられたものである。これにより、装置筐体に画面表示部を設ける領域を確保する必要がなく、装置が小型化される。また、把手が閉塞姿勢となれば、画面表示部が装置筐体に覆われるので、画面表示部への塵埃の付着や傷つきが防止される。
【００１６】
また、本発明は、上記画像記録装置において、上記把手は、略Ｕ字形状であって、その両端部を軸として上記装置筐体に回動可能に設けられ、該把手のＵ字形状内側の空間に収まるようにして上記操作部が配置されたものである。これにより、把手及び操作部を装置筐体の同一面に効率的に配置することができ、把手に画面表示部を設けた場合には、該画面表示部と操作部とが近接するので操作性がよい。
【００１７】
また、本発明は、上記画像記録装置において、上記把手が装置の電源スイッチを兼ねており、上記開放姿勢に姿勢変化されたときに電源をオンとし、上記閉塞姿勢に姿勢変化されたときに電源をオフとするものである。把手が電源スイッチを兼ねることにより、把手を閉塞姿勢として開口部を閉塞した状態で画像記録を行うことが防止される。また、把手を開放姿勢としたままで電源をオフして放置することが防止される。
【００１８】
また、本発明は、上記画像記録装置において、上記把手は、上記閉塞姿勢と開放姿勢との間で任意の姿勢に保持可能なものである。これにより、把手に設けられた画面表示部を任意の角度に調整できる。
【００１９】
また、本発明は、上記画像記録装置において、上記把手は、装置の電源がオフとなると上記閉塞姿勢へ姿勢変化し、装置の電源オンとともに閉塞姿勢から開放姿勢となるものである。装置の電源のオン・オフと把手の姿勢変化とが連動することにより、把手が開口部を閉塞した閉塞姿勢で画像記録を行うことや、把手を開放姿勢としたままで電源をオフして放置されることが防止される。
【００２０】
また、本発明は、上記画像記録装置において、上記把手は、上記開放姿勢において画像記録が行われない状態が所定時間継続した場合に、閉塞姿勢に姿勢変化して待機状態となり、待機状態において画像記録が行われる場合に開放姿勢に姿勢変化するものである。これにより、電源がオンの状態で、開口部が長時間開放されることがなく、開口部から装置内部への異物の進入が確実に防止される。
【００２１】
また、本発明は、上記画像記録装置において上記把手が電源停止スイッチを兼ねており、上記開放姿勢の状態で上方に引っ張られたときに電源をオフとするものである。これにより、画像記録が行われている等の動作状態で装置が持ち運ばれることがなく、インク漏れや紙詰まり等の不具合の発生が防止される。
【００２２】
また、本発明は、上記画像記録装置において、上記開口部近傍の搬送路に、該搬送路を被記録媒体が搬送されない際に搬送路を閉鎖する閉姿勢となり、該搬送路を被記録媒体が搬送される際に搬送路を開通する開姿勢となる搬送路開閉弁が設けられたものである。これにより、把手が開放姿勢となっている状態でも、搬送路を被記録媒体が搬送されない場合には、開口部近傍の搬送路が搬送路開閉弁によって閉鎖され、該搬送路から装置内部への異物の進入が防止される。一方、搬送路を被記録媒体が搬送される際には、上記搬送路開閉弁が開姿勢となり、被記録媒体を開口部から給紙又は排紙可能となる。
【００２３】
また、本発明は、上記画像記録装置において、上記搬送路開閉弁は、常時閉姿勢であり、且つ搬送路を搬送される被記録媒体が当接して押進することにより開姿勢に姿勢変化するように弾性付勢されたものである。これにより、被記録媒体が開口部付近の搬送路を通過する以外は、常に搬送路が閉鎖され、装置内部への異物の進入が一層確実に防止される。
【００２４】
また、本発明は、上記画像記録装置において、上記開口部は、装置筐体の上面に形成されたものである。開口部が装置筐体の上面に形成されると、該開口部から装置内部へ異物が進入しやすいので、異物の侵入防止による効果が顕著である。
【発明の効果】
【００２５】
このように、本発明に係る画像記録装置によれば、把手により画像記録装置の可搬性が向上されるとともに、該把手により開口部が閉塞されて、装置内部へのゴミや塵埃等の異物の進入が防止される。
【００２６】
また、上記把手に画面表示部が設けられることより、装置の小型化が実現され、また、閉塞姿勢において画面表示部が保護される。
【００２７】
また、上記把手を略Ｕ字形状として、該把手のＵ字形状内側の空間に収まるようにして上記操作部を配置することにより、把手及び操作部を装置筐体の同一面に効率的に配置することができ、把手に画面表示部を設けた場合には、該画面表示部と操作部とが近接するので操作性が向上する。
【００２８】
また、上記把手が把手が電源スイッチを兼ねることにより、或いは、装置の電源のオン・オフと把手の姿勢変化が連動することにより、把手が排紙口を閉塞した閉塞姿勢で画像記録を行うことや、把手を開放姿勢としたままで電源をオフして放置されることが防止される。
【００２９】
また、上記把手が、上記閉塞姿勢と開放姿勢との間で任意の姿勢に保持可能となることにより、装置の設置位置に応じて画面表示部が最適の視認性となるように把手の角度を調整できるので、装置の実用性が向上される。
【００３０】
また、上記把手が、上記開放姿勢において画像記録が行われない状態が所定時間継続した場合に、閉塞姿勢に姿勢変化して待機状態となり、待機状態において画像記録が行われる場合に開放姿勢に姿勢変化することにより、電源がオンの状態で、開口部が長時間開放されることがなく、開口部から装置内部への異物の進入が確実に防止されるので好適である。
【００３１】
また、上記把手が電源停止スイッチを兼ねることにより、画像記録が行われている等の動作状態で装置が持ち運ばれることがなく、インク漏れや紙詰まり等の不具合の発生が防止されるので好適である。
【００３２】
また、上記開口部近傍の搬送路に搬送路開閉弁が設けらることにより、把手が開放姿勢でも、搬送路を被記録媒体が搬送されない場合には、開口部近傍の搬送路が搬送路開閉弁によって閉鎖され、該搬送路から装置内部への異物の進入が防止されるので好適である。
【００３３】
また、上記搬送路開閉弁が、常時閉姿勢であり、且つ搬送路を搬送される被記録媒体が当接して押進することにより開姿勢に姿勢変化するように弾性付勢されることたものであされ、装置内部への異物の進入が一層確実に防止されるので好適である。
【００３４】
また、上記開口部が装置筐体の上面に形成されることにより、上述した効果が一層顕著に発揮される。
【発明を実施するための最良の形態】
【００３５】
以下、適宜図面を参照して本発明の実施形態を説明する。
図１は、本発明の実施の形態に係る複合機１（画像記録装置）の外観構成を示すものである。本複合機１は、背面側にプリンタ部２を、正面側にスキャナ部３を一体的に備えた多機能装置（ＭＦＤ：Multi Function Device）であり、プリンタ機能とスキャナ機能とを併有するものである。なお、複合機１のうちプリンタ部２が本発明に係る画像記録装置に相当し、プリンタ機能以外の機能は任意のものである。したがって、スキャナ部３がなく、スキャナ機能やコピー機能を有しない単機能のプリンタであっても、さらに通信部を備えてファクシミリ機能等を有するものであってもよい。複合機１は、主に不図示のコンピュータと接続されて、プリンタ部２が、該コンピュータから送信された画像データや文書データに基づいて、記録用紙に画像や文書を記録し、スキャナ部３が、各種原稿の画像データを読み取って画像データに変換し、該画像データをコンピュータ等に出力するものであるが、複合機１単独で、デジタルカメラ等と接続されてデジタルカメラ等から出力される画像データを記録用紙に記録したり、各種記録媒体を装填して、該記録媒体に記録された画像データ等を記録用紙に記録することも可能である。
【００３６】
図に示すように、複合機１のプリンタ筐体２０（装置筐体）は、その幅Ｗ及び高さＴが、画像記録が可能な最大幅の記録用紙、例えばＡ４サイズの記録用紙に対応しており、該記録用紙を収容でき且つ装置内を搬送可能なように、Ａ４サイズより幅Ｗ及び高さＴが幾分大きいものである。これに対し、奥行きＤは、幅Ｗ及び高さＴのいずれよりも小さく、プリンタ筐体２０の全体形状は扁平薄箱状である。本複合機１は、このようなプリンタ筐体２０が、厚みの延びる方向、すなわちプリンタ筐体２０の側面の長尺方向を縦方向（ｚ軸方向）として設置される縦置き型のものである。このように、複合機１を縦置き型とすることにより、複合機１の小型化及び薄型化が実現され、複合機１を設置するための床面積を小さくなるとともに、可搬性が向上する。
【００３７】
上記プリンタ筐体２０の背面側には不図示の記録用紙収容部２１が形成されており、また、プリンタ筐体２０の上面には排紙口２２（開口部）が上方へ向かって開口されている。詳細については後述するが、記録用紙収容部２１から排紙口２２へは、搬送路２３が形成されており、該搬送路２３においてインクジェット記録ヘッド２４により画像記録が行われた記録用紙が、該排紙口２２から上方へ排出されるようになっている。
【００３８】
プリンタ筐体２０の上面であって上記排紙口２２の背面側には、本複合機１を操作するための操作パネル４が配設されている。操作パネル４は複合機１の各種設定等を行うための各種操作ボタンから構成されており、複合機１は、該操作パネル４からの操作指示によっても、コンピュータに接続されて該コンピュータからプリンタドライバ又はスキャナドライバを介して送信される指示によっても動作するようになっている。また、プリンタ筐体２０の上面は正面側へ向かって下方へ傾斜しており、上記操作パネル４も該傾斜に対応して配設されている。これにより、操作パネル４の各種操作ボタンが正面側及び上面側のいずれの方向からも視認して操作できるので、複合機１を卓上又は床上のいずれに設置しても、視認性や操作性がよいという利点がある。
【００３９】
また、プリンタ筐体２０の側面には、記録媒体である各種小型メモリカードを装填可能なスロット部５が設けられており、図に示すように、使用しない際には開閉自在の扉により開口が封止されてゴミ等の異物の進入が防止されている。該スロット部５に小型メモリカードを装填し、該小型メモリカードに記録された画像データを読み出して、任意の画像をプリンタ部２により記録用紙に記録させることが可能である。
【００４０】
さらに、プリンタ筐体２０の側面には、例えばシアン（Ｃ）・マゼンダ（Ｍ）・イエロー（Ｙ）・ブラック（Ｋ）の各色インクのインクカートリッジが装填されるインクカートリッジ格納部６が設けられており、上記スロット部５と同様に、インクカートリッジの交換を行わない場合には、開閉自在の扉により開口が封止されてゴミ等の異物の進入が防止されている。上記スロット部５とインクカートリッジ格納部６との位置関係は任意であるが、図に示すように、インクカートリッジ格納部６の上側にスロット部５を配置することにより、インクカートリッジ格納部６においてインク漏れ等が生じても、小型メモリカードやスロット部５の電子部品が、該インクにより汚染されることがないので好適である。
【００４１】
また、プリンタ筐体２０の上部には、上記操作パネル４と干渉しないようにＵ字形状に形成された把手７が、その両端部を軸として、プリンタ筐体２０の上面に倒伏又は起立するように回動可能に設けられている。換言すれば、操作パネル４は、把手７のＵ字形状内側の空間に収まるようにプリンタ筐体２０の上面に配置されている。このような配置とすることにより、縦置き型の複合機１において面積の小さいプリンタ筐体２０上面に、操作パネル４及び把手７を効率的に配置できる。該把手７は、複合機１を使用する際には、図に示すように、上面から起立する姿勢となって、装置を持ち運ぶ際の持ち手となり、不使用の際には、上面へ倒伏するように回動されて排紙口２２を閉塞し、ゴミや埃等の異物が装置内部に進入することを防止する。
【００４２】
上記把手７には、排紙口２２を閉塞する際にプリンタ筐体２０の上面と対向する面に、画面表示部８が設けられている。画面表示部８は、電源のオン・オフやエラー表示、データの受信等を表示するものであって、例えば液晶パネルやＬＥＤから構成される。このように、把手７に画面表示部８を設けることにより、プリンタ筐体２０に液晶パネル等を配設する領域を確保する必要がなく、複合機１の小型化が実現される。特に、本複合機１のように装置筐体が扁平薄箱状で縦置き型のものではプリンタ筐体２０の上面の面積が狭いが、把手７に画面表示部８を設けることにより、操作パネル４や画面表示部８をプリンタ筐体２０の上面に集中させることができ、複合機１を床上に設置した際の操作性が向上するという利点がある。また、把手７がプリンタ筐体２０の上面に倒伏すれば、画面表示部８がプリンタ筐体２０の上面に覆われて保護されるので、画面表示部８への塵埃の付着や傷つきが防止される。
【００４３】
スキャナ部３は、所謂フラットベッドスキャナとして構成されている。図に示すように、スキャナ部３のスキャナ筐体３０（装置筐体）は、その幅及び高さが、画像読取りが可能な最大原稿、例えばＡ４サイズの原稿に対応して、Ａ４サイズより幅及び高さが幾分大きく、これに対し、厚み（奥行き）は、幅及び高さのいずれよりも小さく、スキャナ筐体３０の全体形状は扁平薄箱状である。スキャナ部３の読取面は、スキャナ筐体３０の一面として構成されており、図には表れていないが、上記プリンタ筐体２０の正面側の外周面と対向している。また、スキャナ筐体３０の下端側は上記プリンタ筐体２０に枢着されており、スキャナ筐体３０の上端側が正面側へ開閉可能となっている。
【００４４】
このようなスキャナ部３は、使用しない場合には、図に示すように、プリンタ筐体２０の厚み方向とスキャナ筐体３０の厚み方向とを同方向として、装置全体の外形が扁平薄箱状となり、該装置全体の厚みの延びる方向が縦方向となるように設置され、複合機１全体として縦置き型となっている。また、スキャナ部３を使用する際には、スキャナ筐体３０の上端部に形成された掴持部３１を掴んでスキャナ筐体３０を正面側へ傾斜させ、読取面を構成するプラテンガラスに所望の原稿を位置せしめて、該原稿の画像をイメージセンサで読み取るようになっている。
【００４５】
図２は、複合機１の内部構成を示すものである。図に示すように、プリンタ部２は、上記プリンタ筐体２０に内包されるようにして、記録用紙収容部２１、搬送路２３、インクジェット記録ヘッド２４、プラテン２５、電装部品２６、排紙スタック２７、搬送路開閉弁２８等を具備する。
【００４６】
記録用紙収容部２１は、被記録媒体である記録用紙を貯蔵して搬送路２３へ給送するためのものであり、Ａ４サイズ以下の、Ｂ５サイズ、はがきサイズ等の各種サイズの記録用紙が収容可能である。詳細には、記録用紙収容部２１は、プリンタ筐体２０の背面側に凹設された空間を有し、該空間は、プリンタ筐体２０の内部に設けられた区画板４０と、プリンタ筐体２０の背面を構成する蓋４１とによって形成されている。蓋４１は、図に示すように、装置背面側に傾動可能に設けられており、該蓋４１を傾動して記録用紙収容部２１を開放し、所望の記録用紙を装填できるようになっている。記録用紙収容部２１に収容された複数枚の記録用紙Ｐは、図に示すように、記録面を装置内部側へ向けた立位姿勢で保持される。
【００４７】
図に示すように、記録用紙収容部２１の下部は搬送路２３へ続いており、区画板４０の下部には、記録用紙収容部２１に保持された記録用紙Ｐを１枚ずつ分離して搬送路２３へ供給するための給紙ローラ４２が設けられている。該給紙ローラ４２は、複数のギアが噛合されてなる不図示の駆動伝達機構により、モータ（不図示）の駆動が伝達されて回転するようになっている。一方、記録用紙収容部２１の下部には、該給紙ローラ４２に対向するようにして、記録用紙Ｐの下端部を給紙位置に保持するガイド４３が配設されている。該ガイド４３は、バネ等（不図示）により給紙ローラ４２側へ付勢されて、記録用紙Ｐを立位姿勢で給紙ローラ４２へ圧接するようになっている。したがって、記録用紙Ｐと圧接した状態で給紙ローラ４２が回転することにより、図３に示すように、給紙ローラ４２との摩擦力により記録用紙Ｐが下方へ繰り出されて搬送路２３へ給送される。
【００４８】
なお、本実施の形態では、記録用紙収容部２１をプリンタ筐体２０内に設けているが、プリンタ筐体２０の外側の背面に沿って設けられたいわゆる給紙カセットとしてもよい。その際、給紙カセットが記録用紙を立位姿勢のまま搬送路２３へ給送することとしても、使用の際に給紙カセットを若干傾斜させるようにしてもよい。
【００４９】
図２に示すように、搬送路２３は、上記記録用紙収容部２１の下部から下方へ向かって形成され、プリンタ筐体２０の底部付近で反転した後、上方へ延びてプリンタ筐体２０の上面に形成された排紙口２２へ通じている。したがって、記録用紙収容部２１から給送された記録用紙Ｐは、搬送路２３により立位姿勢で下方へ搬送された後、Ｕターンするように反転して再び立位姿勢となり、上方へ搬送されて排紙口２２から排出されることとなる。このように搬送路２３を、プリンタ筐体２０の厚み方向に沿ったＵ字状のパスとして、記録用紙Ｐを立位姿勢で搬送することにより、プリンタ筐体２０の厚みを薄くして複合機１を小型化するとともに、複合機１の設置に必要な床面積を小さくすることができる。
【００５０】
搬送路２３は、インクジェット記録ヘッド２４及びプラテン２５が配設されている箇所以外の主な箇所は、所定間隔で対向する外側ガイド面と内側ガイド面とから構成されている。このような外側ガイド面及び内側ガイド面は、例えばガイド部材をプリンタ筐体２０内に適宜固定することとしても、外側ガイド面をプリンタ筐体２０と一体に形成するようにしてもよい。また、図には示していないが、搬送路２３が湾曲している箇所等に、搬送コロを適宜配設すれば、ガイド面に接触する記録用紙Ｐの搬送が円滑となる。
【００５１】
また、図に示すように、Ｕ字状に形成された搬送路２３の最下部、すなわち搬送路２３がＵターンする箇所に、インクジェット記録ヘッド２４が設けられている。該インクジェット記録ヘッド２４は、搬送路２３の内側において、その下面から下方へ向かってインク滴を吐出可能な姿勢で搬送路２３の幅方向、すなわち図１のｙ軸方向に走査可能に配設されている。一方、該インクジェット記録ヘッド２４の下方となる搬送路２３の外側に、プラテン２５が配設されている。
【００５２】
上記インクジェット記録ヘッド２４は、プリンタ筐体２０内に設置されたインクカートリッジ（不図示）からチューブ等の管路を通じて供給されるシアン（Ｃ）・マゼンダ（Ｍ）・イエロー（Ｙ）・ブラック（Ｋ）の各色インクを吐出しながら走査されることにより、プラテン２５上を搬送される記録用紙Ｐへ画像記録を行うものであり、図には示していないが、搬送路２３の内側において、搬送路２３の幅方向に延設されたガイド部材に摺動自在に設けられた走査キャリッジに搭載されており、該走査キャリッジがベルト駆動機構等によりガイド部材に沿って摺動されることにより、搬送路２３の幅方向を主走査方向として走査可能となっている。インクジェット記録ヘッド２４が各インクを吐出する構成は公知のものを採用することができ、例えば各チャネルの側壁を圧電材料で構成して、該圧電材料の変形によりインク滴を吐出させるものを用いればよい。
【００５３】
プラテン２５は、搬送路２３を搬送される記録用紙Ｐを、上記インクジェット記録ヘッド２４から所定のヘッドギャップの位置に水平に支持するものであり、インクジェット記録ヘッド２４の画像記録範囲に渡って記録用紙Ｐを支持する水平面を有するものである。また、図には示していないが、インクジェット記録ヘッド２４の画像記録範囲外となるプラテン２５の側方には、インクの増粘防止や異物の除去のためにインクジェット記録ヘッド２４がインクの空吐出をする際に、該インクを溜め受けるための廃インクトレイや、インクジェット記録ヘッド２４から異物や気泡等を吸引除去するためのパージ機構が適宜設けられている。
【００５４】
上記インクジェット記録ヘッド２４の上流側には、搬送路２３を搬送されている記録用紙Ｐを狭持して、プラテン２５上へ搬送する一対の搬送ローラ４４及び押さえローラ４５が設けられている。一方、インクジェット記録ヘッド２４の下流側には、記録済みの記録用紙Ｐを狭持して搬送する一対の搬送ローラ４６及び拍車ローラ４７が設けられている。該搬送ローラ４４，４６には、不図示のモータから駆動力が伝達されて、所定の改行幅で間欠駆動するようになっている。
【００５５】
一方、押さえローラ４５は搬送ローラ４４に所定の押圧力で押圧するように付勢されて回転自在に設けられており、図３に示すように、搬送ローラ４４との間に記録用紙Ｐが進入した場合に該記録用紙Ｐの厚み分だけ退避して該記録用紙Ｐを搬送ローラ４４とともに狭持し、搬送ローラ４４の回転力を確実に記録用紙へ伝達するためのものである。拍車ローラ４７も搬送ローラ４６に対して同様に設けられたものであるが、記録済みの記録用紙Ｐと圧接するので、記録用紙Ｐに記録された画像を劣化させないようにローラ面が拍車状に凹凸したものとなっている。
【００５６】
したがって、図４に示すように、搬送ローラ４４及び押さえローラ４５に狭持された記録用紙Ｐは、所定の改行幅でプラテン２５上を間欠して搬送され、その改行毎にインクジェット記録ヘッド２４が走査されて、記録用紙Ｐの先端側から画像記録が行われる。画像記録が行われた記録用紙Ｐの先端側は、その後、搬送ローラ４６及び拍車ローラ４７に狭持され、該記録用紙Ｐは先端側を搬送ローラ４６及び拍車ローラ４７に、後端側を搬送ローラ４４及び押さえローラ４５に狭持された状態で所定の改行幅で間欠して搬送され、同様にインクジェット記録ヘッド２４により画像記録が行われる。さらに記録用紙Ｐが搬送されると、記録用紙Ｐの後端が搬送ローラ４４及び押さえローラ４５を通過して、これらによる狭持が開放され、搬送ローラ４６及び拍車ローラ４７により所定の改行幅で間欠して搬送され、同様にインクジェット記録ヘッド２４により画像記録が行われる。記録用紙Ｐの所定領域に画像記録を行った後は、搬送ローラ４６が連続的に回転駆動され、搬送ローラ４６及び拍車ローラ４７により狭持された記録用紙Ｐは搬送路２３を立位姿勢で上方へ搬送される。
【００５７】
図２に示すように、搬送路２３のさらに下流側には、排紙ローラ４８及び押さえローラ４９が設けられており、上記搬送ローラ４４及び押さえローラ４５と同様にして、画像記録が行われた記録用紙Ｐを狭持して、該記録用紙Ｐの先端が排紙口２２から突出するまで搬送する。
【００５８】
また、上記排紙ローラ４８及び押さえローラ４９の下流側には排紙スタック２７が設けられている。排紙スタック２７は、記録済みの記録用紙Ｐを、その先端側の一部を排紙口２２から突出させた状態で貯蔵するためのものであり、プリンタ筐体２０の内部に設けられた区画板５０によって、複数枚の記録用紙Ｐを立位姿勢で保持可能な空間として形成されている。
【００５９】
また、図に示すように、上記排紙口２２近傍には、搬送路２３を開通する開姿勢と閉鎖する閉姿勢とに姿勢変化可能な搬送路開閉弁２８が設けられている。詳細には、搬送路開閉弁２８は、搬送路２３の幅と略同幅の薄平板状の部材であり、排紙口２２近傍の搬送路２３であって上記排紙スタック２７の対向側に、搬送路２３を閉鎖するように突出し且つ回動可能に設けられており、バネ等の付勢部材（不図示）により搬送路２３の上流側へ回動するように付勢されている。搬送路開閉弁２８の先端は、搬送路開閉弁２８の対向側の上記区画板５０に凹欠された受け部５１に係止されるようになっており、搬送路２３の上流側へ回動するように付勢された搬送路開閉弁２８は、該受け部５１に係止されて搬送路２３を閉鎖した閉姿勢となる。
【００６０】
また、上記搬送路開閉弁２８は、搬送路２３を搬送された記録用紙Ｐが当接することにより搬送路２３を開通する開姿勢となる。詳細には、図３，４に示したように、記録用紙Ｐが搬送路２３の排紙口２２付近にない場合には、搬送路開閉弁２８は上記受け部５１に係止された状態で搬送路２３を閉鎖している。したがって、把手７が排紙口２２を開放していても、搬送路開閉弁２８により、排紙口２２から装置内部への異物の進入が防止される。
【００６１】
前述したように、インクジェット記録ヘッド２４により画像記録が行われた後、記録用紙Ｐは、搬送ローラ４６及び拍車ローラ４７により搬送路２３を立位姿勢で上方へ搬送され、さらに、排紙ローラ４８及び押さえローラ４９により、記録用紙Ｐの先端が排紙口２２から突出するまで搬送される。この際、図５に示すように、記録用紙Ｐの先端が排紙口２２へ到達する前に、搬送路２３を閉鎖している搬送路開閉弁２８に当接する。排紙ローラ４８及び押さえローラ４９により搬送力が付与されている記録用紙Ｐは、その先端が搬送路開閉弁２８に当接した状態でさらに押進して、搬送路開閉弁２８を付勢力に反して搬送路２３の下流側へ回動する。これにより、搬送路開閉弁２８は、閉姿勢から開姿勢に姿勢変化し、記録用紙Ｐは、さらに排紙口２２へ搬送される。
【００６２】
排紙ローラ４８及び押さえローラ４９により、その先端が排紙口２２から突出するまで搬送された記録用紙Ｐは、その後端が排紙ローラ４８及び押さえローラ４９を通過して、排紙スタック２７に貯蔵される。また、排紙ローラ４８及び押さえローラ４９による記録用紙Ｐの押進力がなくなることにより、搬送路開閉弁２８は付勢力により上流側へ回動する。この際、排紙スタック２７に貯蔵された上記記録用紙Ｐは、搬送路開閉弁２８に押されるようにして排紙スタック２７の装置内側へ移動する。これにより、その後に画像記録が行われて排紙口２２へ搬送される記録用紙Ｐを貯蔵するための空間が排紙スタック２７に形成される。また、連続して画像記録された記録用紙Ｐは、図２に示したように、記録面を装置内側にして装置外側へ順次重ねられるようにして排紙スタック２７へ貯蔵されるので、画像記録の順序で記録用紙Ｐが重ねられて貯蔵される。したがって、排紙後に記録用紙Ｐの順序を変更する等の面倒がない。
【００６３】
このように、把手７が排紙口２２を開放している状態でも、画像記録が行われず搬送路２３を記録用紙Ｐが搬送されない場合には、排紙口２３近傍の搬送路２３が搬送路開閉弁２８によって閉鎖され、該搬送路２３から装置内部への異物の進入が防止される。一方、画像記録が行われて搬送路２３を記録用紙Ｐが搬送される際には、搬送路開閉弁２８が開姿勢となり、記録用紙Ｐを排紙口２２へ搬送可能となる。したがって、記録用紙Ｐが排紙口２２付近の搬送路２３を通過する以外は、搬送路開閉弁２８により常に搬送路２３が閉鎖され、装置内部への異物の進入が確実に防止される。また、後述するようなスキャナ部３への原稿の挿入と誤って、排紙口２２から搬送路２３へ原稿を挿入しようとしても、上記搬送路開閉弁２８が原稿の挿入を制止するので、誤操作を防止できる。
【００６４】
なお、本発明に係る搬送路開閉弁は、上記搬送路開閉弁２８に代えて、弾性変形可能な可撓性の合成樹脂フィルム等を、その先端が搬送路２３の対向側へ接触するように下流側へ向かって斜めに突出させて、下流側へは弾性変形可能とし、上流側へは弾性変形できないように設けることによっても実現できるが、合成樹脂フィルム等は原稿の挿入等により回復不能に変形するおそれがあるので、上記搬送路開閉弁２８のように、記録用紙Ｐや原稿等により容易に変形しない薄平板状のものが好適である。また、搬送路開閉弁の支点付近に堆積したゴミや塵埃等を吸着させる吸着部材を設けたり、該ゴミ等を集積するための凹部を形成してもよい。さらに、搬送路開閉弁の上面に両面テープ等の吸着部材を配設して、ゴミや塵埃等を積極的に吸着させる構成としてもよい。
【００６５】
また、本実施の形態では、記録用紙Ｐが搬送路開閉弁２８に当接した状態でさらに押進することにより、搬送路開閉弁２８が付勢力に反して搬送路２３の下流側へ回動することとしたが、画像記録をする際に、搬送路開閉弁２８にモータの駆動力を伝達して該駆動力により搬送路開閉弁２８を付勢力に反して下流側へ回動し、画像記録終了後に該駆動力を遮断して搬送路開閉弁２８を自由回動状態として、付勢力により上流側へ回動するように構成してもよい。これにより、記録用紙Ｐへの負担を軽減することができる。さらには、排紙口開閉弁２７又は挿入口開閉弁２８の開閉の両姿勢変化ともにモータの駆動力で行うこととしてもよい。
【００６６】
一方、スキャナ部３は、図２に示すように、スキャナ筐体３０及びプラテンガラス３２に内包されるようにして、イメージスキャナ３３、ガイドシャフト３４、走査キャリッジ３５等を具備する。
【００６７】
プラテンガラス３２は、画像読取りを行う原稿が密着される透明部材であり、画像読取りを行う原稿の最大サイズ、ここではＡ４サイズより若干大きい矩形平板状のものである。前述したように、扁平薄箱状のスキャナ筐体３０もＡ４サイズより大きなものであり、プラテンガラス３２は、スキャナ筐体３０がプリンタ筐体２０の外周面と対向する側の面に設けられて読取面３２ａを構成するとともに、スキャナ筐体３０の外周面の一部を構成している。
【００６８】
スキャナ筐体３０及びプラテンガラス３２により形成される内部空間には、該プラテンガラス３２に対向してイメージスキャナ３３が設けられている。イメージスキャナ３３は所謂ＣＩＳ（Contact Image Sensor）であり、プラテンガラス３２の縦方向（図１のｚ軸方向）に延設されてプラテンガラス３２の幅方向（図１のｙ軸方向）に走査可能となっている。詳細には、スキャナ筐体３０内において幅方向に延設されたガイドシャフト３４に、走査キャリッジ３５がガイドシャフト３４の軸方向へ摺動自在に設けられており、該走査キャリッジ３５に上記イメージスキャナ３３が搭載されている。該走査キャリッジ３５がベルト駆動機構等によってガイドシャフト３４に沿って摺動されることにより、イメージスキャナ３３がプラテンガラス３２の幅方向に走査可能となっている。
【００６９】
また、スキャナ筐体３０の下端部の両端付近には、その幅方向を軸方向として軸３６がそれぞれ設けられており、該軸３６がプリンタ筐体２０の軸受け部（不図示）に支持されて、スキャナ筐体３０が、軸３６を中心としてプリンタ筐体２０の正面側へ開閉可能となっている。
【００７０】
なお、プリンタ部２及びスキャナ部３の構成は一例であり、プリンタ部２を所謂インクジェットプリンタからレーザプリンタへ変更することは勿論可能であり、また、スキャナ部３のイメージセンサをＣＣＤ（Charge Coupled Device）を用いた縮小光学系のスキャナとすることも可能であるが、一般に、インクジェットプリンタの方がプリンタ部２の小型軽量化が容易であり、また、ＣＣＤよりＣＩＳの方が焦点深度が浅く、ＣＩＳを採用することによりスキャナ部３が薄型化されるので、複合機１を小型化・薄型化するには、これらを採用することが好適である。
【００７１】
本スキャナ部３のスキャナ筐体３０は、図２に示したように、プラテンガラス３２により構成される読取面３２ａをプリンタ筐体２０の正面側の外周面に閉止する閉姿勢と、該読取面３２ａが開放側へ垂直面から所定角度だけ傾斜した傾斜姿勢Ｐ１と、該読取面３２ａが水平面となる位置からスキャナ筐体３０の上端側が下方へ所定角度だけ傾斜した開放姿勢Ｐ２との３姿勢に開閉可能となっている。
【００７２】
スキャナ部３を使用しない場合、すなわち複合機１を使用しない場合やプリンタ部２のみ使用する場合には、図２に示したように、スキャナ部３を閉姿勢とすることにより、縦置きされた複合機１の厚み方向のスペースを小さくして、オフィス空間等の省スペース化を図ることができる。また、プラテンガラス３２の読取面３２ａがプリンタ筐体２０の外周面により閉止されるので、該読取面３２ａに塵埃等が付着することが防止できる。
【００７３】
一方、スキャナ部３を使用する際には、スキャナ筐体３０をプリンタ筐体２０の正面側へ開くが、スキャナ筐体３０はプリンタ筐体２０の正面側に配設されているので、スキャナ筐体３０を開閉するために必要なスペースはプリンタ筐体２０の正面側、すなわち本複合機１の正面側に集中される。したがって、複合機１の背面側には、設置面以外のスペースが不要となるので、本複合機１を壁際等に設置する際に必要な設置スペースを小さくすることができる。
【００７４】
本スキャナ部３を使用する際には、画像読取りを行う原稿（被読取媒体）の厚み等に応じて、上記傾斜姿勢Ｐ１又は開放姿勢Ｐ２のいずれかにスキャナ筐体３０を開いて画像読取りを行う。スキャナ筐体３０を傾斜姿勢Ｐ１又は開放姿勢Ｐ２のいずれにするかは、原稿の厚みにより決定され、普通紙１枚のように薄い原稿を読み取る場合には傾斜姿勢Ｐ１とし、本や冊子のように分厚い原稿や重い原稿を読み取る場合には開放姿勢Ｐ２とする。なお、スキャナ筐体３０を一旦傾斜姿勢Ｐ１として原稿を読取面３２ａに位置せしめてから閉姿勢とした場合にも、スキャナ部３による画像読取りが可能である。
【００７５】
使用者は、スキャナ筐体３０の掴持部３１を掴んで、図２に示した閉姿勢から正面側へスキャナ筐体３０を開くと、該スキャナ筐体３０は、傾斜姿勢Ｐ１となる所定角度で仮固定される。このようなスキャナ筐体３０の仮固定は、例えば、軸３６に径方向に出没可能に付勢されたピンを設け、プリンタ筐体２０の軸受け部に該ピンと所定角度で係合するピン受け部を形成することにより実現できるが、その他の周知且つ任意の仮固定機構を採用することができる。
【００７６】
これにより、スキャナ筐体３０の上端とプリンタ筐体２０の外周面との間に隙間が生じるので、使用者は、複合機１の上方から、該隙間へ原稿を挿入することにより、該原稿を傾斜した読取面３２ａ上に位置せしめることができる。読取面３２ａは開放側、すなわち正面側へ傾斜しているので、使用者は複合機１の正面側から原稿の先端を斜め下方へ落とし込むようにして、上記隙間へ原稿を挿入すれば、該原稿は自重により読取面３２ａに密着する。
【００７７】
なお、図には示していないが、上記読取面３２ａの下端には、幅方向に渡ってストッパが設けられており、前述したように、上記隙間から挿入された原稿は、自重により読取面３２ａに沿って滑り落ち、該原稿の先端がストッパに当接することにより、読取面３２ａの下端を基準として所定位置に固定される。このように、使用者は、スキャナ筐体３０をプリンタ筐体２０との隙間を覗き込んで原稿の位置決めを行う必要がなく、原稿の位置決め作業が容易である。また、該原稿は、自重により読取面３２ａに密着するので、読取面３２ａと原稿との間に浮き等が生じ難く、イメージスキャナ３３による画像読取り精度が向上する。このような傾斜姿勢で、イメージスキャナ３３を走査することにより、薄手の原稿の画像読取りを行う。
【００７８】
また、スキャナ筐体３０を正面側へ開ききると、開放姿勢Ｐ２となる。この開放姿勢Ｐ２で、本等の厚手の原稿を読取面３２ａ上に載置する。厚手の原稿は重量もあるが、開放姿勢Ｐ２ではスキャナ筐体３０の上端が床面に接触しているので、厚手の原稿を読取面３２ａ上に載置しても、縦置き型のプリンタ部２が不安定となることはない。また、開放姿勢Ｐ２では、読取面３２ａが複合機１の正面側を向くように傾斜しているので、複合機１の正面側から原稿を読取面３２ａ上の所定位置に位置せしめることが容易である。このような開放姿勢で、イメージスキャナ３３を走査することにより、厚手の原稿の画像読取りを行う。
【００７９】
なお、本実施の形態で示したスキャナ部３の開閉姿勢は一例であり、例えば、傾斜姿勢Ｐ１と開放姿勢Ｐ２との間でのみスキャナ筐体３０が開閉するようにしても、閉姿勢と開放姿勢Ｐ２との姿勢変化のみで、傾斜姿勢で仮固定されないようにスキャナ筐体３０が開閉されるようにしてもよい。
【００８０】
図８は、本複合機１の電装部品２６による制御部の構成を示すブロック図である。図に示すように、ＣＰＵ（Central Processing Unit），ＲＯＭ（Read Only Memory），ＲＡＭ（Random Access Memory）で構成された中央処理部６０が、バス６１及びＡＳＩＣ（Application Specific Integrated Circuit）６２を介して、プリンタ部２やスキャナ部３の各種センサ及びモータ、操作パネル４、スロット部５、画面表示部８等とデータ送受信可能に接続されている。また、中央処理部６０は、複合機１の電源のオン・オフを制御するために、電源スイッチ６３及び電源停止スイッチ６４からの検出信号が受信可能となっている。電源スイッチ６３は、把手７の姿勢変化に対応してオン・オフされるものであり、また、電源停止スイッチ６４は、把手７が上方へ引っ張られることに対応してオン・オフされるものであるが、詳細については後述する。また、本複合機１は、操作パネル４からの入力の他、コンピュータ（ＰＣ）６５と接続されて、該コンピュータ６５から送信された画像データや文書データに基づいて、記録用紙に画像や文書を記録することができる。そのために、コンピュータ６５とデータを送受信するためのインタフェース（Ｉ／Ｆ）も備えている。なお、本実施の形態で示した制御部の構成は一例であり、本発明の制御部が本実施の形態に示した構成に限定されないことは当然である。
【００８１】
以下、上記把手７の動作について説明する。
前述したように、把手７は、プリンタ筐体２０の上面に倒伏して排紙口２２を閉塞する閉塞姿勢と、該上面から起立して排紙口２２を開放する開放姿勢との間で姿勢変化するものである。このような把手７の姿勢変化は、複合機１の使用者が把手７を持って回動させることにより行われる。
【００８２】
図９は、把手７を閉塞姿勢とした状態の複合機１を示しており、複合機１が使用されない場合は、図に示すように、把手７が閉塞姿勢とされる。把手７は、操作パネル４の上端付近に軸支された軸７０を中心として回動可能となっており、把手７がプリンタ筐体２０の上面に当接するまで回動されることにより閉塞姿勢となる。該閉塞姿勢では、把手７が排紙口２２を閉塞しているので、不使用時に、該排紙口２２から装置内部へ異物が進入することが防止される。特に、本複合機１のように、排紙口２２がプリンタ筐体２０の上面に形成されている場合には、排紙口２２から装置内部へ異物が進入しやすいので、異物の侵入防止効果が顕著に発揮される。
【００８３】
また、図に示すように、プリンタ筐体２０の上面であって排紙口２２の近傍には、該上面から出没可能であって、突出する方向へ付勢された電源スイッチ６３が設けられている（図１参照）。該電源スイッチ６３は、プリンタ筐体２０の上面から突出した状態で電源オンを指示する信号を出力し、プリンタ筐体２０に没入した状態で電源オフを指示する信号を出力するものである。図９に示すように、把手７を閉塞姿勢とすることにより、該把手７が電源スイッチ６３をプリンタ筐体２０に没入して、電源オフを指示する信号を出力する。これにより、上記制御部が該電源スイッチ６３からの信号を受けて複合機１の電源をオフにする。
【００８４】
使用者が、上記閉塞姿勢から把手７を上方へ回動して、図２に示した開放姿勢とすることにより、該把手７によりプリンタ筐体２０に没入されていた電源スイッチ６３が上面から突出して、電源オンを指示する信号を出力する。これにより、上記制御部が該電源スイッチ６３からの信号を受けて複合機１の電源をオンにする。また、把手７が開放姿勢とされることにより、排紙口２２が開放され、図２に示すように、記録済みの記録用紙Ｐを排紙口２２から突出するようにして排紙することが可能となる。
【００８５】
このように、把手７の姿勢変化によって電源スイッチ６３をオン・オフさせることにより、把手７の姿勢と複合機１の電源のオン・オフが連動し、把手７を閉塞姿勢として排紙口２２を閉塞した状態で画像記録を行うこと、及び、把手７を開放姿勢としたままで電源をオフして放置することが防止される。また、把手７が開放姿勢となることにより、排紙口２２が開放されて記録用紙Ｐの排出が許容され、記録済みの記録用紙Ｐが取り出しやすいように、先端部が排紙口２２から突出するようにして記録用紙Ｐを排紙できる。一方、把手７が閉塞姿勢となることにより、排紙口２２が閉塞されて、装置内部へのゴミや塵埃等の異物の進入が防止される。
【００８６】
なお、本実施の形態では、プリンタ筐体２０の上面から出没する電源スイッチ６３により、把手７の開閉と複合機１の電源のオン・オフとを連動させて、把手７が電源スイッチを兼ねるように構成したが、本実施の形態は一例であり、把手７が複合機１の電源スイッチを兼ねる構成を、他の構成に変更することが可能である。例えば、電源スイッチ６３をマグネットセンサに代えて把手７の開閉を該マグネットセンサで検知し、その検知信号に基づいて上記制御部が複合機１の電源をオン又はオフにするように構成してもよい。軸７０に角度センサを設けて該角度センサにより把手７の開閉を検知し、その検知信号に基づいて上記制御部が複合機１の電源をオン又はオフにするように構成してもよい。
【００８７】
また、上記把手７は、上記閉塞姿勢と開放姿勢との間で任意の姿勢に保持可能なものであり、該把手７に設けられた画面表示部８を最適な角度に調整できるようになっている。したがって、例えば、複合機１を床に設置して、斜め上方から複合機１の操作や視認を行う場合には、図２に示すように、画面表示部８の画面が斜め上方を向くように把手７を回動することにより、斜め上方から画面表示部８の画面を視認することが容易となる。一方、複合機１を卓上に設置して、正面側から複合機１の操作や視認を行う場合には、図１０に示すように、画面表示部８の画面が正面を向くように把手７を回動することにより、正面側から画面表示部８の画面を視認することが容易となる。このような把手７の回動は、軸７０を多段階又は無段階で仮固定して回転させる公知の構成を採用すればよい。
【００８８】
また、本複合機１は縦置き型であって可搬性がよいものであるが、把手７が設けられることにより、複合機１の移動が容易である。把手７を持って複合機１を移動させる場合には、図１０に示すように、把手７が垂直方向に延びるように回動するが、このように、把手７がプリンタ筐体２０の上面から起立している状態では、複合機１の電源がオンとなっているので、例えば、インクジェット記録ヘッド２４がインクを吐出して画像記録を行っていたり、クリーニングのために空吐出を行っているにも拘わらず、使用者により複合機１が持ち上られて移動されるおそれがある。複合機１が動作中に移動されると、インク漏れや紙詰まり等の不具合が発生するおそれがあるので、これを防止するために、上記電源停止スイッチ６４が設けられており、把手７が開放姿勢の状態で上方に引っ張られたときに電源をオフとするようになっている。
【００８９】
詳細には、図１１に示すように、把手７は、その軸７０が上下方向へ所定範囲で移動可能に操作パネル４の軸受け７１に軸支されており、上記電源停止スイッチ６４は該軸７０近傍に設けられて、軸７０の移動を検知するセンサである。図１０に示したように、把手７が垂直方向に延びるように回動した状態で、該把手７を持って複合機１を持ち上げると、把手７の軸７０に複合機１の重量が加わるので、該軸７０が把手７とともに軸受け７１上端へ移動する。この移動を上記電源停止スイッチ６４が検知して、電源停止を指示する信号を出力する。上記制御部は、この電源停止スイッチ６４からの信号を受けて複合機１の電源をオフにする。したがって、複合機１の移動中にインクジェット記録ヘッド２４等が動作することがなく、インク漏れ等の不具合の発生が防止される。移動を終えた後、複合機１が床上や卓上に設置されると、上記軸７０は把手７の自重により軸受け７１の下端へ移動し、この移動を上記電源停止スイッチ６４が検知して、電源復帰を指示する信号を出力する。上記制御部は、この電源停止スイッチ６４からの信号を受けて複合機１の電源をオンにする。
【００９０】
このように、本複合機１によれば、把手７により可搬性が向上されるとともに、該把手７により排紙口２２が閉塞されて、装置内部へのゴミや塵埃等の異物の進入が防止される。
【００９１】
以下、上記実施の形態の変形例について説明する。上記実施の形態では、把手７の姿勢変化と複合機１の電源のオン・オフとを連動させるために、把手７が電源スイッチ６３をオン・オフするようにしたが、本変形例では、上記把手７が、複合機１の電源がオフとなると上記閉塞姿勢へ姿勢変化し、複合機１の電源オンとともに閉塞姿勢から開放姿勢となるものである。すなわち、本変形例では、把手７は使用者により回動されず、電源のオン・オフに連動して、自動的に開閉されるようになっている。
【００９２】
図には詳細に示していないが、上記電源スイッチ６３に代えて、複合機１の例えば操作パネル４に、使用者の操作によりオン・オフが可能な電源スイッチを設けるとともに、把手７の軸７０にモータから駆動力を伝達し、該駆動力によりて把手７を開閉可能として、上記制御部により、複合機１の電源のオン・オフと把手７の姿勢変化が連動するように制御する。
【００９３】
すなわち、使用者が操作パネル４において複合機１の電源をオンとすると、上記制御部が上記把手７をプリンタ筐体２０の上面から起立するように回動すべくモータを駆動する。これにより、把手７は開放姿勢となり、排紙口２２を開放するとともに、画面表示部８が視認可能となる。一方、使用者が複合機１の電源をオフにすると、上記制御部が上記把手７がプリンタ筐体２０の上面に倒伏するように回動すべくモータを駆動する。これにより、把手７は閉塞姿勢となり、排紙口２２を閉塞するとともに、画面表示部８がプリンタ筐体２０に覆われて保護される。このように、上記制御部により、複合機１の電源のオン・オフと把手７の姿勢変化が連動するように制御することにより、把手７が排紙口２２を閉塞した閉塞姿勢で画像記録を行うことや、把手２を開放姿勢としたままで複合機１の電源をオフして放置されることが防止される。
【００９４】
さらに、上記制御部にタイマーを設けて、把手７が開放姿勢となってから画像記録が行われない状態が継続した時間をカウントし、該継続時間が所定の閾値を超えた場合に、上記制御部がモータを駆動して把手７を閉塞姿勢に姿勢変化させるとともに、複合機１を待機状態とする。ここで、待機状態とは、操作パネル４やコンピュータからの画像記録を要求する信号が入力されても上記制御部が直ちに画像記録を行わず、まず、把手７を開放姿勢へ姿勢変化してから画像記録を開始する状態をいう。また、さらに、該待機状態を、画面表示部８の画面表示を行わないこと等により複合機１の電力消費を低減する所謂節電モードとすれば、複合機１の消費電力が低減されるので好適である。
【００９５】
上記待機状態において、操作パネル４やコンピュータからの画像記録を要求する信号が入力された場合には、上記制御部が、先ず閉塞姿勢の把手７をプリンタ筐体２０の上面から起立すべくモータを駆動して把手７を開放姿勢としてから、プリンタ部２を作動して記録用紙Ｐの搬送を開始し、画像記録を行う。これにより、電源がオンの状態で、排紙口２２が長時間開放されることがなく、排紙口２２から装置内部への異物の進入が確実に防止される。また、待機状態において複合機１を節電モードとすることにより、画像記録を行わない時間が長時間あるとしても、複合機１の電源をオフにする作業行わずに消費電力の低減を図ることができ、また、画像記録が必要な場合に、複合機１の電源をオンにする作業を行わずに直ちに画像記録が行うことができる。
【００９６】
なお、上記実施の形態に係る複合機１では、排紙口２２をプリンタ筐体２０の上面に形成したが、本発明に係る開口部は、装置筐体の上面に形成されるものに限定されない。例えば、装置筐体の正面や背面の上端付近に上方へ向かって開口部として排紙口２２が開口されていてもよく、そのような場合には、該排紙口２２を閉塞する把手７は、装置筐体の正面又は背面のうち少なくとも該排紙口２２が形成された部分を覆うような形状とすればよい。また、上記プリンタ部２では、搬送路２３をＵ字状のパスとしたが、本発明において搬送路のパスの形状はＵ字状に限定されず、例えば、手差し用の用紙挿入口をインクジェット記録ヘッド２４の背面側の側方に形成して、該用紙挿入口からインクジェット記録ヘッド２４の下方を通過して、排紙口２２へ向かって上方へＬ字状に曲がったパスとしてもよい。
【００９７】
また、上記実施の形態では、複合機１の装置筐体の上方へ開口するように形成された開口部を、記録用紙Ｐを排出するための排紙口２２として説明したが、本発明に係る開口部は排紙口に限定されるものではなく、例えば、記録用紙Ｐを手差しで給紙するための給紙口であっても、把手の姿勢変化により該給紙口を閉塞又は開放するようにすれば、本実施の形態と同様の効果が発揮される。
【００９８】
さらに、本発明に係る開口部は画像読取りのための原稿挿入口であってもよく、例えば図１２に示すように、スキャナ部３Ａで画像読取りを行うために、不図示の読取面３２ａ上に原稿を挿入するための原稿挿入口３７が、スキャナ筐体３０Ａの上面に開口部として形成されている場合には、把手７が倒伏することにより、該原稿挿入口３７を排紙口２２とともに閉塞するようにすれば、プラテンガラス３２に塵埃が付着することを防止できる。
【００９９】
詳細に説明するに、スキャナ部３Ａは、所謂フラットベッドスキャナとして構成されており、図に示すように、スキャナ部３Ａのスキャナ筐体３０Ａは、上記実施の形態のスキャナ筐体３０と同様に、全体形状が扁平薄箱状であって、該スキャナ筐体３０Ａの下端側がプリンタ筐体２０に枢着されることにより、スキャナ筐体３０Ａの上端側が正面側へ開閉可能となっているが、図に示すように、プリンタ筐体２０及びスキャナ筐体３０Ａの各厚み方向と略同方向として装置全体の外形が扁平薄箱状となった状態で、プリンタ筐体２０の上面とスキャナ筐体３０Ａの上面との境界に原稿挿入口３７が形成されている。該原稿挿入口３７は、スキャナ筐体３０Ａ上面のプリンタ筐体２０と対向する側の略中央を、読取可能な最大原稿幅、すなわちＡ４サイズ幅より若干大きい幅で厚み方向へ凹欠することにより形成されており、該原稿挿入口３７により、図に示すように、プリンタ筐体２０及びスキャナ筐体３０Ａの各厚み方向と略同方向となった状態、すなわちスキャナ筐体３０Ａが閉じられた状態で、プラテンガラス３２の読取面３２ａ上に原稿を挿入できるようになっている。
【０１００】
図１３に示すように、スキャナ部３Ａは、上記実施の形態のスキャナ部３と同様に、スキャナ筐体３０Ａ及びプラテンガラス３２に内包されるようにして、イメージスキャナ３３、ガイドシャフト３４、走査キャリッジ３５等を具備するものであり、プラテンガラス３２、イメージスキャナ３３、ガイドシャフト３４、走査キャリッジ３５等の上記実施の形態と同一符号のものは同等のものである。
【０１０１】
本スキャナ部３Ａのスキャナ筐体３０Ａは、図に示すように、プラテンガラス３２により構成される読取面３２ａが開放側へ垂直面から所定角度だけ傾斜した傾斜姿勢と、該読取面３２ａが水平面となる位置からスキャナ筐体３０の上端側が下方へ所定角度だけ傾斜した開放姿勢との間で姿勢変化するように開閉可能なものである。
【０１０２】
したがって、スキャナ部３Ａを使用しない場合であっても、スキャナ部３Ａにより普通紙１枚のように薄い原稿を読み取る場合であっても、スキャナ筐体３０Ａは図に示すような傾斜姿勢となっており、読取面３２ａが開放側へ垂直面から所定角度だけ傾斜した傾斜姿勢において、スキャナ筐体３０Ａはプリンタ筐体２０に対して閉じた状態となっている。これにより、スキャナ部３Ａを使用しない場合であっても、薄い原稿を読み取る場合であっても、縦置きされた複合機１の厚み方向のスペースを小さくして、オフィス空間等の省スペース化を図ることができる。また、薄い原稿を読み取る場合にスキャナ筐体３０Ａを開く必要がないので、画像読取のための作業が簡易である。
【０１０３】
スキャナ部３Ａにより薄い原稿を読み取る際には、使用者は、把手７を閉塞姿勢から開放姿勢として、スキャナ筐体３０Ａを開くことなく、原稿挿入口３７から原稿を挿入すればよい。図に示すように、スキャナ筐体３０Ａがプリンタ筐体２０に対して閉じた状態で、プラテンガラス３２の読取面３２ａは、開放側へ垂直面から所定角度だけ傾斜した傾斜姿勢となっている。したがって、使用者は、複合機１Ａの上方から、原稿挿入口３７から原稿を挿入することにより、該原稿を傾斜した読取面３２ａ上に位置せしめることができる。読取面３２ａは開放側、すなわち正面側へ傾斜しているので、使用者は複合機１の正面側から原稿の先端を斜め下方へ落とし込むようにして、原稿挿入口３７へ原稿を挿入すれば、上記実施の形態と同様に、自重により読取面３２ａに沿って滑り落ち、該原稿の先端がストッパ（不図示）に当接することにより、該原稿が掛止されて、読取面３２ａ上の所定位置に固定されるようになっている。このように原稿をセットして、イメージスキャナ３３を走査することにより、該原稿の画像読取りを行う。一方、本や冊子のように分厚い原稿や重い原稿を読み取る場合には、上記実施の形態と同様に、スキャナ筐体３０Ａを開放姿勢として、イメージスキャナ３３を走査することにより、原稿の画像読取りを行う。
【０１０４】
このような複合機１Ａにおいては、図１２に示すように、装置筐体の上面に排紙口２２と原稿挿入口３７とが、上方へ向かって開口しているが、図１３に示すように、把手７を倒伏して閉塞姿勢とすることにより、排紙口２２及び原稿挿入口３７がともに把手７により閉塞され、排紙口２２からプリンタ筐体２０の内部に塵埃等が進入することを防止できるとともに、原稿挿入口３７から塵埃等が進入してプラテンガラス３２に付着することを防止できる。
【図面の簡単な説明】
【０１０５】
【図１】図１は、本発明の実施の形態に係る複合機１の外観構成を示す斜視図である。
【図２】図２は、複合機１の内部構成を示す縦断面図である。
【図３】図３は、搬送路２３を記録用紙Ｐが搬送される状態を説明するための模式図である。
【図４】図４は、搬送路２３を記録用紙Ｐが搬送される状態を説明するための模式図である。
【図５】図５は、搬送路２３を記録用紙Ｐが搬送される状態を説明するための模式図である。
【図６】図６は、搬送路２３を記録用紙Ｐが搬送される状態を説明するための模式図である。
【図７】図７は、搬送路２３を記録用紙Ｐが搬送される状態を説明するための模式図である。
【図８】図８は、電装部品２６による制御部の構成を示すブロック図である。
【図９】図９は、把手７を閉塞姿勢とした状態を示す縦断面図である。
【図１０】図１０は、持ち運びの際の把手７の状態を示す縦断面図である。
【図１１】図１１は、持ち運びの際の把手７の状態を示す拡大断面図である。
【図１２】図１２は、複合機１Ａの外観構成を示す斜視図である。
【図１３】図１３は、複合機１Ａの内部構成を示す縦断面図である。
【図１４】図１４は、従来のインクジェット記録装置９０の外観構成を示す斜視図である。
【符号の説明】
【０１０６】
１，１Ａ・・・複合機（画像記録装置）
７・・・把手
８・・・画面表示部
２０・・・プリンタ筐体（装置筐体）
２２・・・排紙口（開口部）
２３・・・搬送路
２８・・・搬送路開閉弁
３０，３０Ａ・・・スキャナ筐体（装置筐体）
３７・・・原稿挿入口（開口部）
６３・・・電源スイッチ
６４・・・電源停止スイッチ
【図１】
2006205630.tif 000003
【図２】
2006205630.tif 000004
【図３】
2006205630.tif 000005
【図４】
2006205630.tif 000006
【図５】
2006205630.tif 000007
【図６】
2006205630.tif 000008
【図７】
2006205630.tif 000009
【図８】
2006205630.tif 000010
【図９】
2006205630.tif 000011
【図１０】
2006205630.tif 000012
【図１１】
2006205630.tif 000013
【図１２】
2006205630.tif 000014
【図１３】
2006205630.tif 000015
【図１４】
2006205630.tif 000016